(57)【要約】本発明は使い捨てホット飲料容器に入にったホット飲料を飲用に最適な温度に維持するための電気加熱ジャケットを提供する。加熱用電力は、色々な実施例で自動車の電気系統又は使い捨てか再充電可能なバッテリーからの電力のようなありふれた電力により提供される。本発明は又ホット飲料の売り場に便利な再充電仕立てのバッテリーの提供を含み、ホット飲料を温かく保つ方法を提供する。
2006518227.tif 000002
【特許請求の範囲】
【請求項１】
最低前記容器の一部をほぼ取り囲みそして接触する加熱ジャケット、前記加熱ジャケットに埋め込まれた電力ヒーター手段及び前記加熱ジャケットへ電力を供給するための手段からなる飲用のために要求の高い温度に容器内のホット飲料を保つための装置。
【請求項２】
容器は使い捨て容器である請求項１の装置。
【請求項３】
加熱ジャケットは柔らかい請求項１の装置。
【請求項４】
共に接続された場合、ホット飲料容器を収納できる加熱ジャケットを構成する加熱ジャケットは二ヶ所の端部に切断可能な接続手段を有するほぼ平坦な構造よりなる請求項３の装置。
【請求項５】
加熱ジャケットは飲料カップに接触する柔らかい内層、内層を横断して配置される柔らかい電気加熱手段、前記加熱ジャケットへ電力を供給するための切断できる電気コネクター手段、電気加熱手段を包む柔らかい耐熱電気絶縁材、及び柔らかい断熱外層よりなる請求項１の装置。
【請求項６】
前記加熱ジャケットへ電力を供給するための切断可能な電気コネクター手段は、自動車のシガ−ライターへ差し込みそしてこれと電気的に接触できるアダプターを一端に有し、そして加熱ジャケットに含まれる接合コネクターへ差し込みそしてそれと電気的に接触できるアダプターを他端に有する電気コ−ドを含む請求項５の装置。
【請求項７】
前記加熱ジャケットへ電力を供給する切断可能な電気コネクター手段は、加熱ジャケットに含まれる接合コネクターへ差し込み、そしてそれと電気的に接触できる他端のアダプターで終了し、そしてそれと電気的に接触する電気コ−ドを有する、標準の１１０／１２０ＶＡＣ電気コンセントへ差し込みそしてそれと電気的に接触できる電気アダプターよりなる請求項５の装置。
【請求項８】
標準の１１０／１２０ＶＡＣ電気コンセントへ差し込みそしてそれと電気的に接触できる電気アダプターはカップ温め器へ供給される電圧を降下させるための降圧変圧器を含む請求項７の装置。
【請求項９】
加熱ジャケットへ電力を供給する手段はバッテリーよりなる請求項１の装置。
【請求項１０】
バッテリーは再充電可能な請求項９の装置。
【請求項１１】
加熱ジャケットは飲料カップと接触する柔らかい内層、内層を横断して配置される柔らかい電気加熱手段、前記加熱ジャケットへ電力を供給するバッテリー、電気加熱手段を包む柔らかい耐熱電気絶縁材及び柔らかい断熱外層よりなる請求項１の装置。
【請求項１２】
バッテリーは再充電可能な請求項１１の装置。
【請求項１３】
バッテリーは加熱ジャケットへ取り外し可能な状態で取り付け、そして切断可能な状態で電気的に接続されるバッテリーユニットに含まれる請求項１１の装置。
【請求項１４】
前記加熱ジャケットの電力は、加熱ジャケットへ取り外し可能な状態で取り付けそして切断可能な状態で電気的に接続されるバッテリーユニットに含まれる再充電可能なバッテリーにより提供される前記容器の少なくとも一部をほぼ取り囲みそしてそれに接触する電気加熱ジャケットを提供し、一部放電したバッテリーユニットを完全に充電されたバッテリーユニットと交換できるバッテリー交換所を提供することよりなる要求する高い飲用温度に容器中のホット飲料を保つ方法。
【請求項１５】
ホット飲料は商業施設により提供されそしてバッテリー交換所は前記施設で提供される請求項１４の方法。
【請求項１６】
加熱ジャケットへ電力を提供するための手段は自動車設置用カップホルダーに含まれる切断可能な電気接続手段よりなる請求項１の装置。
【請求項１７】
加熱ジャケットへ電力を提供するため及び自動車設置用カップホルダーに含まれる前記再充電可能なバッテリーを再充電するための切断可能な電気接続手段よりなる請求項１２の装置。
【請求項１８】
加熱ジャケットへ電力を提供するため及び自動車設置用カップホルダーに含まれる前記再充電可能なバッテリーを再充電するための切断可能な電気接続手段よりなる請求項１３の装置。
【請求項１９】
前記カップホルダーへ埋め込まれた電力加熱手段、前記加熱手段へ電力を供給するための手段及び前記加熱手段への電力の適用を制御するスイッチよりなる要求する高い飲用温度に容器内のホット飲料を保つための手段よりなる自動車設置用カップホルダー。
【発明の詳細な説明】
【技術分野】
【０００１】
この発明は容器中のホット飲料温度を飲用に最適な温度に維持する装置に関係する。
【背景技術】
【０００２】
多くの人々はコーヒーショップ、コンビニエンスストアー、エスプレッソスタンドなどでコーヒー、カフェラッテ、紅茶、チャイや同様の飲み物のような「持ち帰りの」ホット飲料を購入する。ホット飲料は樹脂コートをしたボール紙容器に入って、一般に樹脂の蓋と共に一般に提供される。多くの購入者は自動車での旅行中や職場への通勤中又は職場や家庭でのんびりしたペースでこれらの飲み物を飲むことを好む。このようなドリンクは量が１６オンス以上なので３０分以上かけてそれらを飲むことがしばしば要求される。問題は飲み物がかなり急速に冷えることで、もはや初めに購入した時程に好ましくなく又満足でない。
【０００３】
発砲スチロール容器は時々ホット飲料を提供するために使用され、そして冷却を遅らせるためにいくらかの断熱性を備えるが、しかし多くのホット飲料愛好家は発砲スチロールが嫌な脇の風味を飲み物に与えると信じている。加えて環境上の理由で発泡スチロールの使用に対し広範囲に及ぶかつ増加する抵抗が存在する。真面目なホット飲料消費者へ提供する店舗は樹脂コートをしたボール紙容器をいつも使用する。
【０００４】
入手できる断熱容器は非常に色々あり、そして多くの人々は何処にでもあるボール紙容器より断熱容器へそれらのホット飲料を単に移し、そしてゆっくりとそれらの飲み物を飲む。これは最適に近い温度に飲み物を維持するには極めて有効であるが、しかし飲料店へ断熱容器を運搬するか、又は近くでそれを入手出来ることが要求される。又使用後に断熱容器の中を洗浄することが必要である。飲み物が飲まれた後、捨てることができるボ−ル紙容器の利便性は失われる。
【０００５】
又最適な飲む温度か又は近い温度に容器内の飲み物を保つように設計された小型ホットプレートは広く入手できる。机又はカウンター上の使用のため設計されたこのようなホットプレートは普通の金属、樹脂又はセラミック飲料容器と全く良く連携するが、しかし普通の「持ち帰り用」ボール紙容器に使用される場合はあまり有効ではない。ボール紙は比較的熱伝導の低い物質で、そして容器の飲み物を入れる部分の底は容器壁の底の内側へ凹み、そしてホットプレートの加熱面と接触しない。
【０００６】
容器に入った飲み物を電気加熱する設備を有する飲料容器は例えばダム米国６，１２１，５８５により記述される。自動車のシガーライターへ差し込むように設計された電気加熱飲料容器はそれらの「クレバーカップ」品目♯５１１０２としてフロリダ州ブレイデントンのジョンソンスミス社により売り出されている。液体が電気的又は発熱反応により加熱される乳児ミルク又はフォーミュラ用に設計された容器はテグルブジャ−グ米国６，１２３，０６５により教えられる。又イリノイ州レイクブラッフのワンステップアヘッド／リープスアンドバウンズ社により供給される「ベイビーボトルアンドフードウォーマー」品目番号０９２３４のような乳児養育用瓶又は飲料容器を温めるための電気加熱装置は技術上よく知られている。この装置はその中に食料又はドリンクの容器が部分的に浸漬される基本的には小型電気加熱水槽である。
【０００７】
燃料を燃やすことにより、又は発熱反応を起こす物質を混合することにより容器に入った飲み物を加熱するための設備を備えた飲用容器は例えばピム他米国５，１４８，６８８及びティーネンバウム他米国６，２６７，１１０により教えられる。発熱反応を起こす加熱素子を利用した市販の哺乳瓶温め器はその「リユーザブルオンザゴーボトルウォーマー」品目番号０６９１８としてイリノイ州レイクブラッフのワンステップアヘッド／リープスアンドバウンズ社により供給される。
【０００８】
これらの前述の装置は全て飲み物用の特別な容器の使用を伴い、そして広範囲に使用される樹脂コートをしたボール紙ホット飲料容器の簡単な着脱に適するものは一つもない。特許文献の熱心な調査は使い捨て容器中の飲み物を温かく保つために着脱の簡単な温め器として使える装置は一つも確認することが出来なかった。
【０００９】
ボール紙ホット飲料容器に簡単に取り付けられ、そして延長された期間にわたり飲用に最適な温度に飲み物を維持することができ、そして空になると容器を容易に取り外せ、容器を捨てることが可能な装置が非常に有効であろう。理想的には飲料容器に取り付けられた場合、それが装置と容器を自動車のカップホルダー又は同様の受け皿に容易に取り付けられることを妨げないように装置は十分細くなければならない。装置はそれが使用されない場合はポケット又はハンドバッグに容易にしまい込めるようにコンパクトでなければならない。
【００１０】
この発明はこのような装置を提供する。
【発明の開示】
【００１１】
この発明の目的は通常の樹脂コートをしたボール紙ホット飲料容器に入ったホット飲料を延長した期間にわたり飲用に最適な温度に維持するための装置を提供することである。
【００１２】
この発明の更なる目的は最適の飲む温度にホット飲料を維持するために通常のボール紙ホット飲料容器へ簡単に取り付けられそして空になればボール紙容器を簡単に取り外せ、容器の便利な使い捨て及び容器の中の洗浄の必要性を取り除くことを可能にするような装置を提供することである。
【００１３】
この発明の更なる目的は自動車の中で使用でき、そして装置を装備した容器が自動車のカップホルダーに取り付け出来る様な装置を提供することである。
【００１４】
この発明の更なる目的は代わりの実施例で家庭又は職場で使用出来るような装置を提供することである。
【００１５】
この発明の更なる目的は更なる代わりの実施例で建物又は自動車の動力源より離れた屋外で使用出来るように内蔵式動力源を含むような装置を提供することである。
【００１６】
この発明の更なる目的は更なる代わりの実施例でホット飲料の売り場に便利な場所で一部放電したバッテリーを再充電したバッテリーと置換するための便利で経済的な手段を提供することである。
【００１７】
これらの目的を達成するため、この発明は通常の樹脂コートをしたボール紙ホット飲料容器の外側へ簡単に取り付ける形状へ取り付けられる細い、柔らかい加熱パッドを含む。要求する温度に飲み物を維持するのに十分な電力が色々な実施例で自動車のシガーライターアダプターにより１１０ＶＡＣコンセントにより、又は再充電可能なそして又は切断可能なそして置換可能な内蔵式バッテリーにより供給される。使用しない場合はポケット、ハンドバッグ、リュックサック又は書類かばんに便利に入れられるように装置は平坦にすることが出来る。
【発明の詳細説明】
【００１８】
この発明の飲料容器温め器は使い捨てホット飲料容器がぴったり合う電気加熱スリーブ又は加熱ジャケットよりなる。好適な実施例においてスリーブは柔らかくそして飲料容器と接触するための柔らかい内層、内層を横断して配置される柔らかい電気加熱手段、電気加熱手段を包む柔らかい耐熱電気絶縁材、及び柔らかい断熱外層及び一般に使用されるボール紙の使い捨てホット飲料容器に適した形に装置を形作るために取り外し可能なように又は永久に両端を接合するための装置の両端の接合取り付け手段よりなる。飲料容器温め器は色々な実施例で容器温め器の胴体部より取り外せる電源又はバッテリー又は同様のエネルギー貯蔵手段へ電気加熱手段を取り外し可能な状態で接続するコネクター手段よりなる。本発明は又代わりの実施例でホット飲料の売り場に便利な場所で放電したバッテリーを再充電したバッテリーと置換するための手段よりなる。本発明は又更なる代わりの実施例で自動車より容器温め器へ電力を供給するコネクター手段よりなる自動車の容器ホルダーよりなる。
【００１９】
図１、２及び３は上端部１１、下端部１２及び端部１３と１４を有する本発明の容器温め器１０の好適な実施例を示す。柔らかい内層１５は耐熱繊維、最も望ましいのはジョージア州ユニオンシティーサザンミルズより入手する二層のケブラー７．５オンス黒のノメックス繊維よりなる。電気加熱手段２０は柔らかい耐熱電気絶縁体２５に包まれたカリフォルニア州パイングローブのワイヤートロニック社より入手する約２６インチの２８ガリウムニクロムNｉ−ＣｒＡワイヤー、最も望ましいのはニューヨーク州ウォーターフォードＧＥシリコンズより入手できるＧＥ社ＲＴＶ６１２６シリコンエラストマー（ＲＴＶ６１２６は硬化時は柔らかく伸縮性がありそして弾力性がある二層シリコンゲルで耐熱温度は４００°Fである）よりなる。柔らかい断熱性の外層３０は最も好適な実施例でケブラー７．５オンス黒のノメックス繊維の更なる層３１、及びワシントン州シアトルのシアトル繊維より入手できるネオプレンの最外層３２よりなる。容器温め器１０を包む層は接着剤、ステープル又は技術上知られるいかなる接着手段で固定してもよい。最も好適な実施例では、層はワシントン州シアトルのアトランティック繊維社より入手できるノメックス糸で縫うことにより固定される。
【００２０】
最も好適な実施例で加熱手段２０はペンシルバニア州ピッツバーグのクロマロックス（登録商標）社より入手可能なそして容器温め器１０に適合する寸法そして厚膜加熱素子は約８．５オームの電気抵抗を持ったクロマロックス（登録商標）型番ＳＬ−Ｎ−１−１０−０−１０−１２０V−５０Wに似たシリコンゴムで包まれた特別注文の厚膜抵抗加熱素子よりなる。
【００２１】
この最も好適な実施例は電源に電気加熱ワイヤー２０を取り外し可能な状態で接続するためのいかなる通常の二本ピンのソケットでもよい電気コネクター手段４０よりなる。コネクター４０はラジオシャックパート２７０−１５３３が望ましい。一端にはコネクター４０と結合するプラグをそして他端には自動車のシガーライターと接合するプラグを有する、ラジオシャック２７０−１５９４のようないかなる市販のアダプターコードでもこの発明の容器温め器を自動車の１２ＶＤＣ電源への接続に使用できる。
【００２２】
取り外し可能な状態で端部１３と１４を接着するため容器温め器の両端での接合する接着手段５０と５１はファスナー、マジックテープ、帯紐、スナップ、又は技術上知られるいかなる取り外し可能な接着手段でもよい。最も好適な実施例で、接着手段５０と５１はベルクロＴＭフックＨＴＨ８３０とループ３９０５のようなマジックテープよりなる。マジックテープ材料はノメックス糸で縫うことにより容器温め器の胴体部へ接着される。
【００２３】
代わりの実施例で端部１３と１４で接合する接着手段５０と５１は例えば接着剤又はノメックス糸で縫うことにより永久に取り付けできるタブよりなる。この発明の容器温め器の柔らかさは、それを使わない場合は収納のためコンパクトな形に平坦にすることを可能にする。
【００２４】
最も好適な実施例で容器温め器１０が図１ａに示すようにマジックテープ又は他の接着手段の半分が取り付けられた場合、ほぼ円錐台を形成するように、図３で示すように容器温め器の上部及び下部の余裕１１と１２は夫々湾曲しており、そして端部１３と１４は底部１２へ向けてやや収束する角度にある。現在使用される大部分のホット飲料容器は円錐台でそしてこの発明の容器温め器はこの様な容器に対してぴったり合った熱伝導効率の良いはめ合いになるだろう。この技術に精通する人々は必要以上の実験なしに湾曲度と収束角の必要程度を直ちに決定することができる。
【００２５】
この発明の容器温め器は１２Ｖ電源より約１．４Ａを引き出すので従って自動車の電気系統に過度に負荷をかけることにはならないだろう。それは一般に最適な飲用温度と考えられる約１６０°Fに大型ホット飲料容器の中身を維持するだろう。
【００２６】
この発明の容器温め器の好適な融通の利く実施例で飲料容器のテーパーに厳密にマッチさせることは必要でない。容器温め器の柔軟性は、少しのミスマッチは吸収できそして飲料容器への効率的な熱伝導には十分な接触がなお確立される。
【００２７】
この発明の容器温め器の好適な実施例の柔軟性は又装置が色々の容器のホット飲料容器で使用されることを可能にする。通常使用される（「トール」１４オンス、「グランデ」１７オンス、「ベンチ」２２オンス）色々な容量のホット飲料容器は実際上それらの上部直径又はそれらの下部直径は比較的少ししか違わない。容量の違いは主に容器の高さによる。この発明の容器温め器はこれらの最も普通に使用されるホット飲料容器寸法のいずれにも容易に適合することができる。
【００２８】
この発明の容器温め器は又ホット飲料に通常使用される大部分の発泡スチロール容器に適合する。ホット飲料への熱伝導は薄壁のボール紙容器ほど効率的ではないが、しかし容器温め器は延長した期間の間満足的な飲用温度に飲み物を維持するだろう。
【００２９】
この発明の容器温め器の代わりの実施例で置換可能なヒューズ又はヒュージブルリンクは故障又は誤った電圧での操作への保護の余裕を持たすため電気加熱手段２０に組み込まれる。更なる代わりの実施例としてもし現在の温度が容器温め器で超過した場合電気加熱回路を遮断するために温度カットアウトスイッチを組み込むことができる。
【００３０】
この発明の容器温め器の別の代わりの実施例で、周囲を取り巻く温度変動に関係なく最適点に温度を維持するためサ−モスタットスイッチを電気加熱手段２０に組み込むことができる。
【００３１】
この発明の更なる代わりの実施例で、装置を家庭又は職場環境で使用できるように、容器温め器が１１０ＶＡＣで作動できるように、電気加熱手段２０とコネクター４０を改造することができる。この技術に精通する人はより好適な実施例で提供したのと同じ加熱電力（約１６ワット）を提供するための適当な長さと太さの電気加熱ワイヤーを直ちに決定することができる。
【００３２】
更に代わりの実施例で１２ＶＤＣ用に設計された容器温め器はコンパクトな１１０ＶＡＣから１２ＶＤＣ（又は１２ＶＡＣ、電気負荷は殆ど純粋に抵抗性であるため）への電力コンバーターを備えることができる。
【００３３】
後の二つの実施例の各々で電力供給はコネクター４０（図２及び３）と接合できるコネクターを備える。
【００３４】
代わりの実施例で容器温め器がカップホルダーへ挿入された場合、容器温め器内に含まれる接合コネクター手段と電気的に接触する自動車内の容器ホルダーに電気コネクター手段を含むことができる。このようなコネクター手段は、容器温め器を回転することがカップホルダー中の適当なかみ合い手段と容器温め器をかみ合わせることに備える。適当なかみ合い手段及び電気コネクタ−手段を考案することは、この技術に精通する人の範囲に十分あるだろう。模範的なかみ合い及びコネクター手段は以下に開示する。
【００３５】
更なる実施例で容器温め器はいかなる外部電源より離れても使用できるように、この発明の容器温め器はバッテリーが装備される。図４に図解される一つのこの様な実施例でバッテリーは例えば容器温め器１０の底部を形成するバッテリーユニット６０に取り囲まれる。代わりの実施例で平坦な柔らかいバッテリーは容器温め器の付加層として組み込むことができ、又は一般に入手できるＡＡＡバッテリー又は携帯電話に使用されるそれらに似たバッテリーのような一個又は多くのコンパクトバッテリーを図１、２及び３に図解する一つのような好適な実施例の層内に組み込むことができる。
【００３６】
バッテリーを装備した実施例でバッテリーは再充電可能でそして電源が利用できる場合はいつでも再充電可能であることが望ましい。望むならバッテリー装備の容器温め器は要望温度にホット飲料を維持するため使用できる場合は外部電源を使用できるようにするため「加熱」と「再充電」モード間で選択するスイッチを含むことができる。代わって外部電源に接続された場合に容器温め器が絶えず充電しつつある実施例では、バッテリー装備の容器温め器はヒーターのためのオンオフスイッチを含むことができる。
【００３７】
分離できるユニットにバッテリーを含むこの発明の容器温め器の実施例の更なる代わりの実施例で、バッテリーユニットはそれが加熱ジャケットより取り除かれそして適当なバッテリー再充電ユニットへ接続できるように、取り外し可能な状態で取り付けられそして容器温め器の加熱ジャケットへ電気的に切断可能な状態で接続されることが望ましい。このような一つの実施例は図５に図解され、そこでは加熱ジャケット７０は柔らかいヒンジ７２により接触リング７１に取り付けられる。接触リング７１は樹脂により作られることが望ましい。接触リング７１はバッテリーユニット６０上のスクリューネジ６１とかみ合う７３のようなスクリューネジを有する。バッテリーユニット６０は、それを接触リング７１としっかりとかみ合わせるようにバッテリー６０を回転させた場合、接触リング７１の底部上の接点７４と７５と電気的に接触する６２と６３のような電気接点を有する。スクリューネジ７３と６１は接触リング７１へしっかりとバッテリーユニット６０を接続させ、そして少しの回転、出来れば１／４回転で接点６４と６５と電気的に接触させるように作動することが望ましい。接点７４と７５及び加熱ジャケット中の電気加熱手段の電気接続は柔らかいヒンジ７２に取り囲まれた柔らかいコネクターよりなる。加熱ジャケット７０の下端部７６及び接触リング７１の上部７７加熱ジャケット７０を接触リング７１へ取り外し可能な状態でしっかりと取り付けるため、接合接続手段、より望ましいのはベルクロ（TM）ＨＴＨ８３０フックと３９０５ループのようなマジックテープ材よりなることが望ましい。使用しない場合は、バッテリーユニット６０は接触リング７１より切断することができ、接合取り付け手段５０と５１及び接合手段７６と７７は切断されそして装置は平坦に開かれそして例えばポケット又はハンドバッグへ収納のためコンパクトな形状に部分的に折り畳むことができる。
【００３８】
適当な再充電ユニットの設計と製作はこの技術に精通する人の範囲内にあるだろう。この発明の容器温め器の使用者がホット飲料が欲しい場合はいつでも十分充電されたバッテリーが常に利用できるように、予備のバッテリーユニットを備えることができる。
【００３９】
取り外し可能な状態で取り付けられそして電気的に切断可能な状態で接続されるバッテリーユニットを含むこの発明の実施例の更なる代わりの実施例で、この発明の容器温め器の使用者が交換所に一部又は完全に放電したバッテリーを置きそして引き換えに完全に充電されたバッテリーユニットを受け取るように、再充電手段を組み込んだバッテリー交換所をホット飲料を提供する店舗に備えることができる。この様な交換所は自動販売機に少し似ているが、しかし完全充電されたユニットを得るため放電したバッテリーユニットを機械へ挿入する付加的段階が伴う。追加料金がこのようなバッテリ−交換に課せられるか、又はバッテリー交換所に関連するコストはホット飲料の購入価格で回収することができる。このようなバッテリー交換所の設計及び製作はこの技術に精通する人の範囲内に十分ある。
【００４０】
この発明の容器温め器の更なる代わりの実施例で、そのカップホルダーがこの発明の容器温め器を収容でき、そして容器温め器へ電力を供給するための、そして又もし容器温め器が再充電可能なバッテリーを含む場合はバッテリーを再充電するための手段を含む自動車カップホルダーを最初からの設備としてか又は代わって後からの設置としてのいずれかで自動車への組み込み用に提供することができる。このようなカップホルダーは図６に８０として概略的に図解される。６０’のようなバッテリーユニットには、自動車のカップホルダー８０に含まれ、そして自動車の電気系統へ電気的に接続される接合接点８１及び８２と電気的に接触するユニットの側面又は底部の電気接点６４’と６５’の第二のセットを備えることができる。容器温め器をカップホルダーへ挿入し、そしてそれを回転することはカップホルダーへ容器温め器をかみ合わせ、そして固定し、そしてバッテリーユニット上の電気接点をカップホルダーの接合接点と接触させ、そして電気的に接続させるように、バッテリー６０’は付加的なネジ部６６’を含み、そしてカップホルダーは接合ネジ８３を含む。カップホルダーの接点８１及び８２と電気的に接触させるため容器温め器を回転させることが戻しバネの復元力に抗してこの様なカバーを移動させるようにこのような実施例のバッテリーユニット６０’は接点６４’と６５’の第二のセットのためのカバー６７’を含むことが望ましい。同様に容器温め器がそれをカップホルダ−にかみ合わせるため回転される場合、戻しバネの復元力に抗して同様に移動される同様のカバー８４をカップホルダー８０へ備えることができる。カバーの一つにキーをそして他の一つに対応するノッチを備えることは容器温め器１０が回転されそしてカップホルダー８０にかみ合う場合、カバーを移動させるのに役立つ。このようなネジ、接点及び戻しバネの詳細はこの技術に精通する人により容易に決定できる。この様なカバーは使用者が生きた電気接点６４’、６５’、８１又は８２に接触する最小の危険に対し保護するだろう。
【００４１】
この後の実施例は使用者が自動車の中にいる間に飲用に最適な温度にホット飲料を保つため自動車の電気系統を使用し、そしてバッテリ−ユニットを完全充電状態に保ち、一方同時にポ−タビリティ−を提供し、使用者が自動車の外へ容器温め器を持ち出しそして尚適当な飲み物温度を維持することを可能にする利点を有する。
【００４２】
更なる代わりの実施例として加熱ジャケットより切断できない再充電可能なバッテリ−を含む容器温め器について、すぐ上で述べたそれらのようなネジによるかみ合いそして固定手段そして電気接点手段を利用することが可能である。
【００４３】
この発明の容器温め器の更なる代わりの実施例でカップホルダ−が又容器温め器として機能するように、カップホルダ−に電気加熱手段を含む自動車カップホルダ−が最初からの設備としてか又は代わって後からの設置かのいずれかで自動車への組み込みとして備えることができる。望むように電気加熱手段を動作させるか又は動作を停止させるためのスイッチをこのようなカップホルダ−に備えることが望ましい。
【００４４】
別の変わりの実施例でこの発明の容器温め器はポ−タブルコンピュ−タ−へ取り外し可能な状態で取り付けられ、そしてポ−タブルコンピュ−タ−のバッテリ−又は線間電圧の電力により電力が供給される電気加熱手段を含む容器ホルダ−の形で製作することができる。このような実施例は空港、飛行機、バス又は列車の中でコンピュ−タ−を使用する間に、最適温度にコンピュ−タ−使用者のホット飲料を保つ利点を提供する。
【００４５】
上で述べた実施例の多くは電力源としてバッテリ−が組み込まれる。この発明の発明者は蓄えられた電力を必要とする多くの用途で将来の何時かことによるとバッテリ−に置換わる小型燃料電池が現在開発中であることに気付いている。この発明の容器温め器を作動させるのに必要な電力を供給するバッテリ−の代替としてこの発明はこのような小型燃料電池の使用を予期する。
【００４６】
その範囲を限定せずこの発明の色々な詳細を変更する他の実施例はこの技術に精通する人には明らかであろう。更に本発明の好適な実施例の先の記述、及び発明を実施するための最良の方法が図解分のみのために及び請求項により定義される発明の限定のためではなく提供される。
【図面の簡単な説明】
【００４７】
【図１ａ】飲料容器に簡単に取り付けられる組み立てられた形のこの発明の飲料容器温め器の好適な実施例のスケッチである。
【図１ｂ】飲料容器を挿入した状態のこの発明の飲料容器温め器の好適な実施例のスケッチである。
【図２】この発明の飲料容器温め器の好適な実施例の飲料容器に半径方向断面を適切に示す。
【図３】外側（即ち飲料容器より最も遠い側）より見たそして装置構造の詳細を示すため一部切り取った平坦な形のこの発明の飲料容器温め器の好適な実施例のスケッチである。
【図４】装置のベ−スのバッテリ−ユニットを含む飲料容器温め器の代わりの実施例を示す。
【図５】取り外し可能なバッテリ−ユニットを有する代わりの実施例を示す。
【図６】自動車のカップホルダ−用の更なる代わりの実施例及びこのようなカップホルダ−の詳細を示す。
【符号の説明】
【００４８】
図１ａ、１ｂ、４
１０：容器温め器
４０：電気コネクタ−
５０、５１：接合取り付け手段
６０：バッテリ−ユニット
図２、３
１０：容器温め器
１１：上端部（容器温め器の）
１２：下端部（容器温め器の）
１３、１４：端部（容器温め器の）
１５：内層（容器温め器の）
２０：電気加熱ワイヤ−
２５：柔らかい耐熱電気絶縁材
３０：柔らかい断熱外層
３１：更なる層（容器温め器の）
３２：最外層（容器温め器の）
４０：電気コネクタ−
５０、５１：接合取り付け手段
図５
１０：容器温め器
６０：バッテリ−ユニット
６１：かみ合いスクリュ−ネジ
６２、６３：電気接点
７０：加熱ジャケット
７１：接触リング
７２：柔らかいヒンジ
７３：スクリュ−ネジ
７４、７５：接点（容器温め器の）
７６：下端部（加熱ジャケットの）
７７：接触リングのトップ
図６：
６０’：バッテリ−ユニット
６４’、６５’：電気接点（バッテリ−ユニットの）
６６’：ネジ部
６７’：カバ−（バッテリ−ユニットの）
７０：加熱ジャケット
７１：接触リング
７３：スクリュ−ネジ
７４、７５：接点（容器温め器の）
８０：カップホルダ−
８１、８２：接点（カップホルダ−の）
８３：かみ合いネジ
８４：カバ−（カップホルダ−の）
2006518227.tif 000003
【図２】
2006518227.tif 000004
【図３】
2006518227.tif 000005
【図４】
2006518227.tif 000006
【図５】
2006518227.tif 000007
【図６】
2006518227.tif 000008
【国際調査報告】
2006518227.tif 000009